(57)【要約】      （修正有）【課題】便利に使用でき、持ち歩きやすいハブの構造の提供。【解決手段】本体１の片端に収納槽１９が設けられ、本体内には回路板がある。回路板に複数のＵＳＢポート２１，２１Ａ、２１Ｂ，２２が本体の開け穴から突き出すように設置されている。回路板の後側にはケーブル４が巻き込んでいる巻き線装置が設けられ、ケーブルは本体の収納槽の開けた穴から外へ伸ばせるようになっている。そして、ケーブルの端にはタイプの違う電子製品規格に適用するミニＵＳＢプラグ４１が設置され、各種の電子製品の挿入ができる。使用しない時は巻き線装置でケーブルを巻き戻し、電子製品規格用のミニＵＳＢプラグを本体の収納槽に隠すことができるので、持ち歩くには便利である。【選択図】図１
0003130503.tif 000002
【実用新案登録請求の範囲】
【請求項１】
本体は開け穴を設けてあり、その片端の側面に収納層があり、そして、収納層には開け穴が設けられている、
回路板は本体内に設けられ、その上に複数のＵＳＢポートがあり、ＵＳＢポートは本体にある開け穴から露出になっている、
電子製品規格に適用するミニＵＳＢプラグはケーブルによって本体の収納槽から外へ引き伸ばされ、本体を伸ばさせることができる、
前述の構成によってハブを構成し、使用時には電子製品規格に適用するミニＵＳＢプラグを本体から引き出して、各種のＵＳＢプラグを持つ電子製品と、を接続でき、不使用の時には、本体の収納層に戻して隠せるので、持ち歩きには便利であることを特徴とするハブの構造。
【請求項２】
当該本体内の回路板の後側には巻き線装置を設け、巻き線装置にケーブルを巻き込ませ、本体の収納槽からケーブルを外へ伸ばさせることができ、そして、ケーブルの端にＵＳＢプラグを設け、巻き線装置によってＵＳＢプラグを延ばせたり、戻させたりすることを特徴とする請求項１記載のハブの構造。
【請求項３】
当該本体の上部カバーと下部カバーはそれぞれの片端の側面にL形の仕切り板が設けられ、仕切り板に開け口を設け、上、下カバーがあわせて閉まれば、仕切り板は開け穴を持つ収納槽を構成することができることを特徴とする請求項１記載のハブの構造。
【考案の詳細な説明】
【技術分野】
【０００１】
本考案は一種のハブの構造であり、特に便利に使用でき、持ち歩きやすいハブ構造を指している。
【背景技術】
【０００２】
一般の通信、家電、コンピュータ製品に利用されるハブ（ＨＵＢ）は通常、本体内に回路板が設置され、回路板には複数のＵＳＢポートが本体の開け穴から突き出すように設けられているため、異なる種類の電子製品が接続でき、信号の変換ができる。但し、周知のハブにはＵＳＢポートしか設けられていないので、携帯電話、MP３などの外部の電子製品に接続したい場合は、それぞれのポートのインタフェースが異なっているため、ハブと電子製品のそれぞれに使えるプラグが両側に設けられるインターフェースを使ってハブと電子製品の両方に接続しなければならない。使用には手数がかかるし、持ち歩くにも不便がある。このような欠点に鑑み、本考案の考案者は当技術分野での多年経験で、研究、ハブがより便利に利用でき、持ち歩きやすい方法を見つけるために、実験を重ねてきた。
【考案の開示】
【考案が解決しようとする課題】
【０００３】
本考案の主要目的は、更に便利に利用でき、そしてより持ち歩きやすく、収納しやすいハブの構造を提供することにある。
【０００４】
前述のハブの構造には本体があり、本体の片側に収納槽が設けられ、そして、本体内部に回路板が設置されている。回路板には複数のＵＳＢポートが本体の開け穴から突き出すように設置されている。ここで、回路板の後側には巻き線装置がある。巻き線装置にケーブルを巻き込ませて本体の収納槽の開け穴から外へ伸ばさせる。そして、そのケーブルの端に、携帯電話、MP３のような各種の電子製品規格が使えるＵＳＢプラグを設置する。使用する際は、、電子製品が挿入できるように、それらの電子製品規格用のミニＵＳＢプラグを巻き線装置から引っ張り出し、使用しない時は、巻き線装置でケーブルを巻き戻して電子製品規格用のミニＵＳＢプラグを本体の収納槽に隠すことにより、持ち歩きやすくなる。
【０００５】
前述のハブの構造では、本体に上部カバーと下部カバーがある。この上、下のカバーの縦方向の側面に間隔を置いて開け口が設けられている。上、下カバーをあわせて閉めれば、これらの開け口で複数のＵＳＢポートの開け口を構成する。
【０００６】
前述のハブの構造では、本体の上部カバーと下部カバーはそれぞれに片端の側面にL形の仕切り板がある。仕切り板に開け口を設け、上、下カバーがあわせて閉まれば、これらの仕切り板は開け穴を持つ収納槽を構成する。
【課題を解決するための手段】
【０００７】
請求項１の考案は、本体は開け穴を設けてあり、その片端の側面に収納層があり、そして、収納層には開け穴が設けられている、
回路板は本体内に設けられ、その上に複数のＵＳＢポートがあり、ＵＳＢポートは本体にある開け穴から露出になっている、
電子製品規格に適用するミニＵＳＢプラグはケーブルによって本体の収納槽から外へ引き伸ばされ、本体を伸ばさせることができる、
前述の構成によってハブを構成し、使用時には電子製品規格に適用するミニＵＳＢプラグを本体から引き出して、各種のＵＳＢプラグを持つ電子製品と、を接続でき、不使用の時には、本体の収納層に戻して隠せるので、持ち歩きには便利であることを特徴とするハブの構造としている。
請求項２の考案は、当該本体内の回路板の後側には巻き線装置を設け、巻き線装置にケーブルを巻き込ませ、本体の収納槽からケーブルを外へ伸ばさせることができ、そして、ケーブルの端にＵＳＢプラグを設け、巻き線装置によってＵＳＢプラグを延ばせたり、戻させたりすることを特徴とする請求項１記載のハブの構造としている。
請求項３の考案は、当該本体の上部カバーと下部カバーはそれぞれの片端の側面にL形の仕切り板が設けられ、仕切り板に開け口を設け、上、下カバーがあわせて閉まれば、仕切り板は開け穴を持つ収納槽を構成することができることを特徴とする請求項１記載のハブの構造としている。
【考案の効果】
【０００８】
本考案のハブの構造は、収納槽を持つ本体があり、伸ばせる電子製品規格用のミニＵＳＢプラグを内蔵しているため、ハブの使用は一層便利になるし、不使用の時でも電子製品規格用のミニＵＳＢプラグを本体内に隠すことができるため、持ち歩き、収納にも便利さがあるので、とても実用の設計、新規性のある創作とも言える。
【考案を実施するための最良の形態】
【０００９】
図１、図２を同時に参照すること。本考案は主に本体１があり、本体１に上部カバー１１と下部カバー１２が設けられている。上部カバー１１と下部カバー１２は片側の縦方向の側面に間隔を置いて複数の開け口１３、１４が設けられているため、上部カバー１１と下部カバー１２があわせて閉まれば、それらの開け口１３、１４は複数の開け穴１５を構成する。
【００１０】
本体１の上部カバー１１と下部カバー１２はそれぞれの片端の側面にL形の仕切り板１６、１７があり、この二枚の仕切り板１６、１７は開け口１６１、１７１を構成する。このように上部カバー１１、下部カバー１２があわせて閉まれば、二枚の仕切り板１６、１７は開け穴１８を持つ収納槽１９を構成する。
【００１１】
本体１内部には回路板２を設け、回路板に多数のＵＳＢポート２１、２１A、２１Bと２２を設け、これらのＵＳＢポート２１、２１A、２１B、２２を本体１の開け穴１５から突き出させる。ここで、回路板２の後側には巻き線装置３があり、この巻き線装置にケーブル４を巻き込ませ、ケーブル４を本体１の収納槽１９に設けられた開け穴１８から外へ伸ばさせる。そして、そのケーブル４の端に携帯電話、MP３などの規格が異なる電子製品が使用できるミニＵＳＢプラグ４１を設ける。
【００１２】
前述の構造によってハブを構成し、当該ＵＳＢポート２２とコンピュータを接続させれば、ＵＳＢポート２１、２１A、２１Bは通信回線を介していろんな種類の電子製品と接続できる。これにより、信号の切替が実現できる。使用する際は、電子製品規格用のミニＵＳＢプラグ４１を巻き装置３から引き出し、各種の電子製品の接続に使う。使用しない時は、巻き線装置３でケーブル４を巻き戻して電子製品規格用のミニＵＳＢプラグ４１を、本体１の挿入槽１９内に隠せば、持ち歩きやすくなる。
【００１３】
図３を参照してください。本考案は使用時において、本体１に設けられたＵＳＢポート２１、２１A、２１Bは各種の電子製品の接続に使用でき、信号を切り替える以外にも、電子製品規格用のミニＵＳＢプラグ４１は使用時において、携帯電話、MP３などの電子製品と接続するため、巻き線装置３から一定の長さまで引き出すことができるので、他の回線を経由して接続することなく、とても便利である。
【００１４】
図４を参照すること。本考案の電子製品規格用のミニＵＳＢプラグ４１は不使用の時に、電子製品規格用のミニＵＳＢプラグ４１をケーブル４と共に、更に前に引き出すことにより、巻き装置３の引張力でケーブル４を機体１に巻き戻すことができる。ケーブル４が完全に戻された後に、電子製品規格用のミニＵＳＢプラグ４１は収納槽１９の開け穴１８によって止められ、本体１の収納槽１９内に隠されるので、持ち歩きや収納には便利である。
【図面の簡単な説明】
【００１５】
【図１】本考案の立体図である。
【図２】本考案の立体分解図である。
【図３】本考案の使用実施例に関する図示である。
【図４】本考案のＵＳＢプラグが本体内に隠された実施例の図示である。
【符号の説明】
【００１６】
１  本体
２  回路板
３  巻き線装置
４  ケーブル
１１  上部カバー
１２  下部カバー
１３、１４、１６１，１７１  開け口
１５，１８  開け穴
１６、１７  仕切り板
１９  収納槽
２１、２１Ａ、２１Ｂ、２２  ＵＳＢポート
４１  電子製品規格に適用するミニＵＳＢプラグ
【図１】
0003130503.tif 000003
【図２】
0003130503.tif 000004
【図３】
0003130503.tif 000005
【図４】
0003130503.tif 000006